(57)【要約】      （修正有）【課題】より需要者（利用者）の注意を惹きつけるデザインを有する写真プリントの作成を可能とする、写真プリント作成方法および写真プリント作成装置を提供する。【解決手段】利用者を撮影した複数の画像を用いて印刷する写真プリント作成方法であって、合成画像Ｇ２〜Ｇ７を生成するステップと、合成画像Ｇ２〜Ｇ７が並べられた配列印刷画像ＰＧ１を生成するステップと、合成画像Ｇ２〜Ｇ７の中から選択された一の合成画像の部分拡大印刷画像ＰＧ２を生成するステップと、配列印刷画像ＰＧ１を配列印刷領域１００に印刷し、拡大印刷画像ＰＧ２を拡大印刷領域２００に印刷するステップとを備え、拡大印刷画像を生成するステップは、選択された一の合成画像の装飾画像とは異なる装飾画像とする処理を行なうとともに、印刷区画領域内からはみ出る合成画像の部分は印刷しない処理を含む。【選択図】図６
2016001277.tif 000002
【特許請求の範囲】
【請求項１】
利用者を撮影した複数の画像を用いて作成された印刷画像を写真プリント用紙に印刷する写真プリント作成方法であって、
利用者を撮影した複数の前記画像を用いてそれぞれ複数の合成画像を生成するステップと、
複数の前記合成画像が並べられた配列印刷画像を生成するステップと、
複数の前記合成画像の中から選択された一の前記合成画像の一部分が拡大される拡大印刷画像を生成するステップと、
前記配列印刷画像を前記写真プリント用紙の配列印刷領域に印刷し、前記拡大印刷画像を前記写真プリント用紙の拡大印刷領域に印刷するステップと、を備え、
前記拡大印刷画像を生成するステップは、選択された一の前記合成画像の装飾画像とは異なる装飾画像とする処理を行なうとともに、前記印刷区画領域内に位置する前記合成画像の部分は印刷し、前記印刷区画領域内からはみ出る前記合成画像の部分は印刷しない処理を含む、写真プリント作成方法。
【請求項２】
利用者を撮影した複数の前記画像には、利用者の上半身が撮影されたアップ画像と、利用者の全身が撮影された全身画像とを含み、
前記アップ画像を用いた前記合成画像を用いて前記拡大印刷画像を生成する場合と、前記全身画像を用いた前記合成画像を用いて前記拡大印刷画像を生成する場合とで、印刷された後の拡大倍率が異なっている、請求項１に記載の写真プリント作成方法。
【請求項３】
前記拡大印刷画像は、前記印刷区画領域内に前記利用者の顔を含むように、選択された一の前記合成画像が拡大される、請求項１または請求項２に記載の写真プリント作成方法。
【請求項４】
前記写真プリント用紙は、左右に延びる長方形形状を有し、
前記配列印刷画像は、前記写真プリント用紙の左側または右側に印刷され、
前記拡大印刷領域は、前記配列印刷画像とは反対の側に印刷される、請求項１から請求項３のいずれか１項に記載の写真プリント作成方法。
【請求項５】
前記配列印刷画像に含まれる複数の前記合成画像の輪郭は四角形であり、
前記拡大印刷領域の輪郭は、前記合成画像の輪郭とは異なる、請求項１から請求項４のいずれか１項に記載の写真プリント作成方法。
【請求項６】
利用者を撮影した複数の画像を用いて作成された印刷画像を写真プリント用紙に印刷する写真プリント作成方法であって、
利用者を撮影した複数の前記画像を用いてそれぞれ複数の合成画像を生成する手段と、
複数の前記合成画像が並べられた配列印刷画像を生成する手段と、
複数の前記合成画像の中から選択された一の前記合成画像の一部分が拡大される拡大印刷画像を生成する手段と、
前記配列印刷画像を前記写真プリント用紙の配列印刷領域に印刷し、前記拡大印刷画像を前記写真プリント用紙の拡大印刷領域に印刷する手段と、を備え、
前記拡大印刷画像を生成するステップは、選択された一の前記合成画像の装飾画像とは異なる装飾画像とする処理を行なうとともに、前記印刷区画領域内に位置する前記合成画像の部分は印刷し、前記印刷区画領域内からはみ出る前記合成画像の部分は印刷しない処理を含む、写真プリント作成装置。
【発明の詳細な説明】
【技術分野】
【０００１】
この発明は、写真プリント作成方法および写真プリント作成装置に関する。
【背景技術】
【０００２】
写真撮影ブースにおいて、利用者が自らを含む被写体を撮影し、撮影された画像に好みのフレーム、おえかきと称する文字図柄の描画、背景を画像合成し、合成画像をシールプリントとして印刷出力する写真プリント作成装置（写真撮影ブース付きプリント自動販売機）が知られている。このような、写真プリント作成装置は、下記の特許公報に開示されている。
【先行技術文献】
【特許文献】
【０００３】
【特許文献１】特開２０１３−０３７１４２号公報
【発明の概要】
【発明が解決しようとする課題】
【０００４】
写真プリント作成装置の主たる利用者（需要者）は、中学生、高校生、大学生等の女性のグループ、男女のカップルである。近年では、写真プリント作成装置の撮影機能の高機能化が進み、より小顔に撮影する機能、瞳をより大きく撮影する機能、肌をより美白に撮影する機能、全身をスリムに撮影する機能等が付加されるようになり、利用者（需要者）の志向は、従来の「面白く写りたい」から「綺麗に写りたい」という強い願望に大きく変化している。
【０００５】
さらに、そのようにして撮影された画像に基づき加工および編集された印刷画像を、写真プリントにどのようなデザインで印刷するかが、写真プリント作成装置において重要となる。
【０００６】
写真プリント作成装置の利用者（需要者）の中心はリピータであり、利用者（需要者）は何度も、写真プリント作成装置が設置されたアミューズメントエリアに足を運び、複数台設置された写真プリント作成装置の中から、自分の好みに合った撮影機能および写真プリントのデザインを有する写真プリント作成装置を選択する。
【０００７】
写真プリント作成装置により作成される写真プリントにおいては、利用者を撮影した「撮影画像」、「撮影画像」を元に明るさや目の大きさ、脚の長さ等の処理が施された「処理画像」、「背景画像」、「フレーム画像」、さらに、利用者による「編集画像」が合成されて、「合成画像」が作成される。
【０００８】
写真プリント用紙への印刷時には、予め定められた領域に、上記「合成画像」が並べられた状態で印刷されるが、一部の領域においては、「合成画像」を拡大しその拡大された「合成画像」の一部を取り出した状態で印刷する。しかし、この場合には、たとえば、「フレーム画像」、「背景画像」、および「編集画像」が、途中で切れた状態等になり、そのまま「合成画像」を拡大した場合には、印刷する画像としてはデザイン性が劣ることが懸念される。
【０００９】
したがって、本発明の目的は、合成画像を拡大しその拡大された画像の一部を取り出して印刷した場合であっても、より需要者（利用者）の注意を惹きつけるデザインを有する写真プリントの作成を可能とする、写真プリント作成方法および写真プリント作成装置を提供することにある。
【課題を解決するための手段】
【００１０】
この発明に基づいた写真プリント作成方法においては、利用者を撮影した複数の画像を用いて作成された印刷画像を写真プリント用紙に印刷する写真プリント作成方法であって、利用者を撮影した複数の上記画像を用いてそれぞれ複数の合成画像を生成するステップと、複数の上記合成画像が並べられた配列印刷画像を生成するステップと、
複数の上記合成画像の中から選択された一の上記合成画像の一部分が拡大される拡大印刷画像を生成するステップと、上記配列印刷画像を上記写真プリント用紙の配列印刷領域に印刷し、上記拡大印刷画像を上記写真プリント用紙の拡大印刷領域に印刷するステップと、を備え、上記拡大印刷画像を生成するステップは、選択された一の前記合成画像の装飾画像とは異なる装飾画像とする処理を行なうとともに、上記印刷区画領域内に位置する上記合成画像の部分は印刷し、上記印刷区画領域内からはみ出る上記合成画像の部分は印刷しない処理を含む。
【００１１】
他の形態では、利用者を撮影した複数の上記画像には、利用者の上半身が撮影されたアップ画像と、利用者の全身が撮影された全身画像とを含み、上記アップ画像を用いた上記合成画像を用いて上記拡大印刷画像を生成する場合と、上記全身画像を用いた上記合成画像を用いて上記拡大印刷画像を生成する場合とで、印刷された後の拡大倍率が異なっている。
【００１２】
他の形態では、上記拡大印刷画像は、上記印刷区画領域内に上記利用者の顔を含むように、選択された一の上記合成画像が拡大される。
【００１３】
他の形態では、上記写真プリント用紙は、左右に延びる長方形形状を有し、上記配列印刷画像は、上記写真プリント用紙の左側または右側に印刷され、上記拡大印刷領域は、上記配列印刷画像とは反対の側に印刷される。
【００１４】
他の形態では、上記配列印刷画像に含まれる複数の上記合成画像の輪郭は四角形であり、上記印刷区画領域の輪郭は、上記合成画像の輪郭とは異なる。
【００１５】
この発明に基づいた写真プリント作成装置においては、利用者を撮影した複数の画像を用いて作成された印刷画像を写真プリント用紙に印刷する写真プリント作成方法であって、利用者を撮影した複数の上記画像を用いてそれぞれ複数の合成画像を生成する手段と、複数の上記合成画像が並べられた配列印刷画像を生成する手段と、複数の上記合成画像の中から選択された一の上記合成画像の一部分が拡大される拡大印刷画像を生成する手段と、上記配列印刷画像を上記写真プリント用紙の配列印刷領域に印刷し、上記拡大印刷画像を上記写真プリント用紙の拡大印刷領域に印刷する手段と、を備え、上記拡大印刷画像を生成するステップは、選択された一の前記合成画像の装飾画像とは異なる装飾画像とする処理を行なうとともに、上記印刷区画領域内に位置する上記合成画像の部分は印刷し、上記印刷区画領域内からはみ出る上記合成画像の部分は印刷しない処理を含む。
【発明の効果】
【００１６】
この発明によれば、印刷画像を拡大しその拡大された印刷画像の一部を取り出して印刷した場合であっても、より需要者（利用者）の注意を惹きつけるデザインを有する写真プリントの作成を可能とする、写真プリント作成方法および写真プリント作成装置を提供することを可能とする。
【図面の簡単な説明】
【００１７】
【図１】実施の形態１における写真プリント作成装置を示す第１斜視図である。
【図２】実施の形態１における写真プリント作成装置を示す第２斜視図である。
【図３】実施の形態１における写真プリント作成装置の機能ブロックを示す図である。
【図４】実施の形態１における写真プリント作成装置における作成方法の全体フローを示す図である。
【図５】実施の形態１における写真プリント用紙の印刷画像が印刷される予定の区画を示す図であり、（Ａ）は平面図、（Ｂ）は正面図、（Ｃ）は左側面図である。
【図６】実施の形態１における各区画に印刷画像をはめ込んだ、実際の印刷された写真プリントの状態を示す図である。
【図７】関連技術における各区画に印刷画像をはめ込んだ、実際の印刷された写真プリントの状態を示す図である。
【図８】実施の形態２における各区画に印刷画像をはめ込んだ、実際の印刷された写真プリントの状態を示す図である。
【図９】実施の形態３における各区画に印刷画像をはめ込んだ、実際の印刷された写真プリントの状態を示す図である。
【図１０】実施の形態４における各区画に印刷画像をはめ込んだ、実際の印刷された写真プリントの状態を示す図である。
【図１１】実施の形態５における各区画に印刷画像をはめ込んだ、実際の印刷された写真プリントの状態を示す図である。
【図１２】実施の形態６における各区画に印刷画像をはめ込んだ、実際の印刷された写真プリントの状態を示す図である。
【図１３】実施の形態７における各区画に印刷画像をはめ込んだ、実際の印刷された写真プリントの状態を示す図である。
【図１４】実施の形態８における各区画に印刷画像をはめ込んだ、実際の印刷された写真プリントの状態を示す図である。
【図１５】実施の形態９における各区画に印刷画像をはめ込んだ、実際の印刷された写真プリントの状態を示す図である。
【図１６】実施の形態１０における各区画に印刷画像をはめ込んだ、実際の印刷された写真プリントの状態を示す図である。
【図１７】実施の形態１１における各区画に印刷画像をはめ込んだ、実際の印刷された写真プリントの状態を示す図である。
【図１８】実施の形態１２における各区画に印刷画像をはめ込んだ、実際の印刷された写真プリントの状態を示す図である。
【図１９】実施の形態１から９における写真プリントの印刷およびシート排出方向を示す模式図である。
【図２０】実施の形態１０から１２における写真プリントの印刷およびシート排出方向を示す模式図である。
【発明を実施するための形態】
【００１８】
本発明に基づいた各実施の形態における写真プリント作成方法および写真プリント作成装置について、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１９】
［実施の形態１］
（写真プリント作成装置１）
図１および図２を参照して、本実施の形態における写真プリント作成装置１の概略構成について説明する。図１は、本実施の形態における写真プリント作成装置１を示す第１斜視図（正面、右側面、平面）、図２は、本実施の形態における写真プリント作成装置１を示す第２斜視図（正面、左側面、平面）である。
【００２０】
この写真プリント作成装置（写真撮影ブース付きプリント自動販売機）１は、事前接客装置（シール自動販売機用事前利用者操作機）２０１、撮影装置（シール自動販売機用撮影機）３００、画像編集装置（写真シール自動販売機用画像編集加工印刷機）４００、および、事後接客装置（シール自動販売機用事後利用者操作機）５００を備える。
【００２１】
事前接客装置２０１は、コイン投入口２１０、操作モニタ２２０およびスピーカ２３０を有する。撮影装置３００は、撮影用カメラ３１０、操作モニタ３２０、および照明器具３３０、３４０を有する。画像編集装置４００は、操作モニタ４１０およびタッチペン４２０を有する。事後接客装置５００は、操作モニタ５１０および写真シール受取口５２０を有する。
【００２２】
（写真プリント作成装置１の機能ブロック）
図３を参照して、本実施の形態の写真プリント作成装置１の機能ブロックについて説明する。図３は、写真プリント作成装置１の機能ブロックを示す図である。
【００２３】
写真プリント作成装置１は、写真プリント作成装置１の全体を制御するコンピュータ装置１００１と、動作中のコンピュータ装置１００１からの指示を受け付けて、接続されている各種装置を制御する制御基板１００２と、クロマキーキャプチャボード１０１７とを備える。これらは写真プリント作成装置１の制御装置１０００として機能する。制御装置１０００は撮影装置３００、または、画像編集装置４００に搭載されてもよい。
【００２４】
コンピュータ装置１００１は、ＣＰＵ（Ｃｅｎｔｒａｌ  Ｐｒｏｃｅｓｓｉｎｇ  Ｕｎｉｔ）１００３と、ＨＤＤ（Ｈａｒｄ  Ｄｉｓｋ  Ｄｒｉｖｅ）１００４と、メモリ１００５と、通信部１００６とを備える。ＣＰＵ１００３は、メモリ１００５に記憶されたプログラムを実行して、コンピュータ装置１００１を制御する。
【００２５】
制御プログラムは、コンピュータ装置１００１にインストールされることにより、ＨＤＤ１００４に格納される。メモリ１００５は、コンピュータ装置１００１のメインメモリであり、ＣＰＵ１００３により実行される制御プログラムの一時的な作業領域として用いられる。
【００２６】
本実施の形態では、ＣＰＵ１００３が制御プログラムを実行することにより、制御基板１００２が発光制御部１１００を介して、照明器具３３０、３４０の発光を制御する。
【００２７】
ＨＤＤ１００４は、写真プリント作成装置１に所定の処理を実行させるための制御プログラム、処理に必要なグラフィックデー夕、音声デー夕、生成された合成画像を示す合成画像デー夕、予め用意された複数のフレーム画像、複数のスタンプ画像等の各種画像デー夕、予め用意された複数の背景画像を示す背景画像データ、予め用意された複数のシートデザインを示すシートデザイン画像等を記憶する。
【００２８】
通信部１００６は、インターネット等のネットワークを介して図示しないサーバと通信する。
【００２９】
コンピュータ装置１００１は、事前接客装置２０１での事前接客処理を実行する。コンピュータ装置１００１は、制御プログラムを実行し、デモ映像、名前入力画面などを受付用の操作モニタ（受付用ディスプレイ）２２０に表示する。
【００３０】
操作モニタ２２０には、タッチパネルが用いられ、利用者の指の接触を検知し、それに応じた指示信号をコンピュータ装置１００１に送信する。スピーカ２３０は、コンピュータ装置１００１から与えられる指示信号に基づいて、案内音声、ＢＧＭなどを出力する。
【００３１】
コンピュータ装置１００１は、撮影装置３００での写真画像生成処理を実行する。コンピュータ装置１００１は、制御プログラムを実行し、必要に応じて操作モニタ（正面ディスプレイ）３２０を介して入力されたユーザの操作に応じて、制御信号を制御基板１００２に送信する。
【００３２】
制御基板１００２は、撮影タイミングにおいて、発光制御部１１００により照明器具３３０、３４０を発光モードに応じて充電し発光させる。スピーカ（図示せず）は、コンピュータ装置１００１から与えられる指示信号に基づいて、撮影プレイのための操作方法などの案内、ＢＧＭなどを出力する。
【００３３】
クロマキーキャプチャボード１０１７は、撮影用カメラ３１０で撮影されている映像（被写体映像）を所定の時間間隔（たとえば３０フレーム／秒）でデジタルデータ（静止画像）として取り込む。クロマキーキャプチャボード１０１７は、取り込んだ静止画像の中からクロマキー技術により被写体以外の領域を検知し、その検知した領域に選択された所望の背景画像を合成する。コンピュータ装置１００１は、被写体映像の顔部分に画像処理を施し、所定の画像サイズとなるように被写体映像をトリミングする。
【００３４】
コンピュータ装置１００１は、画像編集処理を実行する。コンピュータ装置１００１は制御プログラムを実行し、編集用の操作モニタ（編集用ディスプレイ）４１０およびタッチペン４２０を用いた入力操作に応じて、制御信号を制御基板１００２に送信する。コンピュータ装置１００１は、操作モニタ４１０と接続され、それらを制御する。
【００３５】
操作モニタ４１０は、タッチペン４２０等の接触を検知し、それに応じた指示信号をコンピュータ装置１００１に送信する。操作モニタ４１０は、コンピュータ装置１００１から送信された編集画像（落書き画像）を写真画像上に重ねて表示する。スピーカ（図示省略）は、コンピュータ装置１００１から与えられる指示信号に基づいて、編集プレイのための操作方法などの案内、ＢＧＭなどを出力する。
【００３６】
コンピュータ装置１００１は、通信部１００６により、インターネット等のネットワークを介して図示しないサーバと通信する。写真プリント作成装置１で生成された画像を利用者の携帯端末にサーバ経由で提供可能にする。これにより、利用者はユーザ端末に写真画像、合成画像を取得できる。
【００３７】
コンピュータ装置１００１は、利用者の要求に応じて生成された合成画像および印刷画像を取得するのに必要なアクセス情報（たとえばＵＲＬ）を、非接触通信装置を介してユーザの携帯端末に送信してもよい。
【００３８】
コンピュータ装置１００１は、プリンタ６００と接続され、プリンタに対して印刷指示を送信し、印刷すべき印刷画像を送信する。プリンタは、印刷すべき印刷画像の受信を完了したとき、印刷指示に応じて印刷を開始する。
【００３９】
制御基板１００２は、コンピュータ装置１００１の他に、蛍光灯、コイン制御部、およびサービスパネルに接続される。
【００４０】
（写真プリントの作成フロー）
図４を参照して、本実施の形態における写真プリント作成装置を用いた写真プリントの作成フローを説明する。図４は、本実施の形態における写真プリント作成装置１における作成方法の全体フローを示す図である。
【００４１】
写真プリント作成装置１は、プレイの開始時に事前接客装置２０１において事前接客処理として受付処理を行なう。受付処理では、写真画像の生成条件処理、背景選択処理が行なわれる（ステップＳ１０）。写真プリント作成装置１は、撮影装置３００において、利用者（プレイヤ）を被写体として複数回撮影し複数の撮影画像を生成する（ステップ２０）。撮影画像には、利用者の上半身が撮影された写真画像（アップ画像）、利用者の全身が撮影された写真画像（全身画像）が含まれ、いずれか一方、または、両方を撮影する。一例として、アップ画像を４回撮影し、全身画像を２回撮影する。
【００４２】
写真プリント作成装置１は、写真撮影後、画像編集装置４００において、撮影装置３００において利用者を撮影した撮影画像に、利用者が選択したフレーム画像、背景画像を合成し、その後、選択した明るさや目の大きさ等の画像処理を行ない処理画像を形成し、さらに、らくがき処理（ステップＳ３０）の受付処理を行なった後、処理画像に、画像編集装置４００で利用者が行なったらくがき処理で入力した「編集画像」を合成し、「合成画像」を生成する写真画像合成処理を行なう（ステップＳ４０）。
【００４３】
生成した「合成画像」を所定のレイアウトに配置した複数のレイアウトを利用者に提示してレイアウトの選択を受け付け（ステップＳ５０）、選択を受け付けたレイアウトにしたがって合成画像を配置して、「シートデザイン画像」に「合成画像」が組み込まれた印刷画像を生成する印刷画像処理を行なう（ステップＳ６０）。
【００４４】
なお、上記「合成画像」の中には、らくがき処理で入力した「編集画像」が合成されていない処理画像も含まれるものとする。以下の説明において用いる「合成画像」も同様である。
【００４５】
写真プリント作成装置１は、プリンタを用いて、写真プリント用紙に印刷画像を印刷し、その写真プリントを、事後接客装置５００の写真シール受取口５２０から排出する（ステップＳ７０）。さらに、写真プリント作成装置１は、サーバを介して合成画像を利用者の所有する端末に送信する。
【００４６】
（印刷画像および写真プリント）
次に、図５から図８を参照して、写真プリント作成装置１を用いて作成された本実施の形態における印刷画像および写真プリントについて説明する。図５は、写真プリント用紙の印刷画像が印刷される予定の区画を示す図であり、（Ａ）は平面図、（Ｂ）は正面図、（Ｃ）は左側面図である。また、図６は、本実施の形態における各区画に印刷画像をはめ込んだ、実際の印刷された写真プリントの状態を示す図、図７および図８は、関連技術における各区画に印刷画像をはめ込んだ、実際の印刷された写真プリントの状態を示す図である。
【００４７】
本実施の形態における写真プリント用紙１１ａは、左右に延びる長方形形状を有し、印刷画像が印刷される予定の区画１から区画７が規定されている。写真プリント用紙１１ａの右側には、輪郭が上下に縦長の長方形形状の区画２から区画７が２行３列に配置されている。この区画２から区画７の区画により配列印刷領域１００が形成される。配列印刷領域１００において、区画２から区画７には、後述するように合成画像がそれぞれ印刷され、全体として、配列印刷画像ＰＧ１が印刷される（図６参照）。
【００４８】
写真プリント用紙１１ａにおいて、配列印刷領域１００の反対の側である左側には、区画２から区画７の区画形状とは異なる円形の輪郭の区画１が規定される拡大印刷領域２００が形成される。拡大印刷領域２００の区画１には、後述するように、複数の合成画像の中から選択された一の合成画像の一部分が拡大される拡大印刷画像ＰＧ２が印刷される。この選択は、前述のシートレイアウトの選択において、本実施の形態で示すレイアウトが選択された場合に、複数の合成画像の一覧を表示し、一の合成画像の選択を受け付ける。また、ＣＰＵがランダムに決定し選択するようにしてもよい。
【００４９】
図６を参照して、本実施の形態の写真プリント１１においては、配列印刷領域１００において、区画２には合成画像Ｇ２が印刷され、区画３には合成画像Ｇ３が印刷され、区画４には合成画像Ｇ４が印刷され、区画５には合成画像Ｇ５が印刷され、区画６には合成画像Ｇ６が印刷されている。合成画像Ｇ２からＧ７が配列印刷画像ＰＧ１を構成する。
【００５０】
本実施の形態において、合成画像Ｇ２から合成画像Ｇ５は、２人の利用者の上半身が撮影された写真画像（アップ画像）を利用して合成画像が形成されている。合成画像６および合成画像Ｇ７は、２人の利用者の全身が撮影された写真画像（全身画像）を利用して合成画像が形成されている。なお、全てアップ画像または全て全身画像を用いてもよい。
【００５１】
一方、本実施の形態の写真プリント１１においては、拡大印刷領域２００の区画１に印刷される拡大印刷画像ＰＧ２は、区画２に用いられた合成画像Ｇ２の一部分が拡大される合成画像Ｇ１が用いられている。ここで、この合成画像Ｇ１（拡大印刷画像ＰＧ２）の生成について説明する。
【００５２】
本実施の形態においては、拡大印刷領域２００の区画１に印刷される拡大印刷画像ＰＧ２は、区画２に用いられた合成画像Ｇ２の一部分が拡大された合成画像Ｇ１を用いているが、選択された一の合成画像には元の合成画像の装飾画像とは異なる装飾画像とする処理を行なっている。
【００５３】
ここで、合成画像を作成する場合、通常、利用者を撮影した複数の「撮影画像」に対して、「撮影画像」の後方にレイアウトされる「背景画像」、「撮影画像」の前方にレイアウトされる「フレーム画像」、「撮影画像」を元に明るさや目の大きさ、脚の長さ等の処理が施された「処理画像」形成される。さらに、利用者によるらくがき等の「編集画像」が合成されて、「合成画像」が作成されるが、ここでは、「撮影画像」および「処理画像」以外の画像を総称して「装飾画像」と呼ぶ。
【００５４】
なお、本実施の形態では、「装飾画像」としては、「背景画像」、「フレーム画像」、および、「編集画像」が含まれるが、「撮影画像」および「処理画像」以外に、他の画像を含む場合には、その画像も「装飾画像」に含まれる。
【００５５】
さらに、「編集画像」の中でも、そのまま合成する画像と、合成しない画像とが存在してもよい。たとえば、利用者の顔などに装飾する画像（リップやチークなどのメイクツール、メガネやヒゲなどの変装ツール）はそのまま合成し、「背景画像」や「フレーム画像」は、合成しない処理を行なってもよい。
【００５６】
したがって、本実施の形態においては、「背景画像」、「フレーム画像」、および、「編集画像」の少なくとも１つの画像を用いない場合や、少なくとも１つの画像が異なっている場合には、「装飾画像」が異なっているといえる。
【００５７】
図７に、区画１に印刷される拡大印刷画像ＰＧ２に、合成画像Ｇ２の一部分を拡大した状態のままの画像を印刷した場合示す。この場合、人物の背景に拡大された「フレーム画像」の一部が印刷されているが、看る者にとってこの部分が何であるかを判別できない場合が生じ、違和感を抱く可能性がある。また、らくがき処理で入力した「編集画像」を拡大した場合にも、同様のことが生じ得る。また、写真プリント用紙と同色の「フレーム画像」、「背景画像」、「前景画像」のデザインの場合、丸い形状の輪郭を拡大して印刷した場合に、丸い輪郭に見えなくなる場合等によるデザインの低下が考えられる。
【００５８】
そこで、本実施の形態においては、図６に示したように、区画１に印刷される拡大印刷画像ＰＧ２は、合成画像Ｇ２の一部分を拡大し、合成画像Ｇ２の装飾画像とは異なる装飾画像とする処理を行なった画像を用いて印刷を行なっている。
【００５９】
具体的には、レイアウト作成処理時に、「フレーム画像」、「編集画像」、「撮影画像（処理画像）」および「背景画像」のように、別々のレイヤーで分かれていたものを、配列印刷領域１００に配置する画像の場合は、上記レイヤーを全て合成した状態で印刷し、拡大印刷領域２００に配置する画像の場合は、「撮影画像（処理画像）」のみを用い、「フレーム画像」、「編集画像」、および「背景画像」の「装飾画像」を合成しないようようにして印刷を行なっている。
【００６０】
図６では、拡大印刷領域２００において、「背景画像」を合成せずに印刷しているが、利用者のみを印刷する場合には、（ａ）写真プリントのデザインに応じた「背景画像」が予め写真プリント用紙に印刷された上に「撮影画像（処理画像）」のみを印刷する場合、（ｂ）利用者が選択した「背景画像」に対応した拡大印刷領域２００用の「背景画像」と合成して印刷する場合、（ｃ）写真プリントのデザインに応じた「背景画像」が予め用意され、その「背景画像」と合成して印刷する場合、の３通りの印刷方法が挙げられる。
【００６１】
これにより、たとえば、利用者の好みの箇所である顔を含む「撮影画像」または「処理画像」を大きく拡大させた場合に、「フレーム画像」および「編集画像」の一部のみが切り取られて印刷されることによる違和感の発生を防止し、人物のみを浮き上がらせることにより写真プリントのデザイン性を高め、印刷された写真プリント１１としては、新鮮さを有し、利用者（需要者）の注意を惹きつけるデザインとなる。
【００６２】
本実施の形態において、区画１に拡大されるとともに、選択された一の合成画像の装飾画像とは異なる装飾画像とする処理を行なった拡大印刷画像ＰＧ２を配置する場合の一例としては、合成画像Ｇ２は、アップ画像であることから、区画１の中心位置と、拡大印刷画像ＰＧ２の中心位置とが一致するように配置する。これにより、拡大印刷画像ＰＧ２においては、利用者の顔が含まれるように合成画像Ｇ２の一部が拡大されることとなる。本実施の形態の形態において区画１は円形であることから、区画１の中心位置は、円の中心位置となる。なお、区画の形状が円形でない場合には、区画の中心位置は、区画の形状の重心位置となる。
【００６３】
また、区画１に拡大されるとともに、選択された一の合成画像の装飾画像とは異なる装飾画像とする処理を行なった拡大印刷画像ＰＧ２を配置する場合の他の例としては、カメラが配置される高さ、角度、および撮影時のカメラの設定値（たとえば、ズーム値、焦点距離等）、利用者に案内する立ち位置等により、利用者の顔部分が写真画像のどのあたりに写るかは予め想定できる。その想定位置を基準に、区画１の中心位置と、拡大印刷画像ＰＧ２の顔の想定位置とが一致するように配置してもよい。たとえば、写真画像の縦辺の長さの上から４分の１の位置を想定位置とすることが考えられる。
【００６４】
さらに、区画１に拡大されるとともに、選択された一の合成画像の装飾画像とは異なる装飾画像とする処理を行なった拡大印刷画像ＰＧ２の上部が切れないようにするためには、区画１の輪郭の最上点が、拡大した合成画像Ｇ２の上辺または上辺より下となるように、配置するのが好ましい。
【００６５】
さらに、周知の顔認識技術を利用し、合成画像Ｇ２に写る顔を認識し、認識した複数の顔または目が、すべて区画１内に収まるように配置するのが好ましい。
【００６６】
また、アップ画像を用いた合成画像を用いて拡大印刷画像ＰＧ２を生成する場合と、全身画像を用いた合成画像を用いて拡大印刷画像ＰＧ２を生成する場合とで、印刷された後の拡大倍率が異なるようにするとよい。
【００６７】
この場合に、アップ画像と全身画像とで、それぞれ倍率が異なるような設定値（元の画像の横幅縦幅に倍率をかけて画像を出力）を予め持っていてもよいし、また、配置する領域（拡大印刷画像領域２００）の大きさに合うように拡大（元の画像の横幅縦幅と、出来上がる縦横を入力して（指定した画像に対して出力される横幅縦幅を指定)）してもよい。
【００６８】
また、拡大印刷領域に配置する画像の位置もしくはサイズを利用者の求めに応じるようにするために、拡大印刷領域内で利用者が配置する画像の位置を調整できたり、サイズの調整ができたりしても良い。この場合は、利用者が対象となるシートレイアウトを選択し、拡大印刷領域に配置する合成画像を選択する操作画面もしくは、その後の操作画面で、上記操作を行なうことができるようにしておくとよい。
【００６９】
また、選択された一の合成画像に合成画像Ｇ６のような全身画像を用いる場合には、区画１の上端と、拡大され選択された一の合成画像の装飾画像とは異なる装飾画像とする処理を行なった拡大印刷画像ＰＧ２の上端とが一致するように配置する。これにより、合成画像Ｇ１（拡大印刷画像ＰＧ２）においては、利用者の顔が含まれるように合成画像Ｇ１の一部が拡大されることとなる。
【００７０】
合成画像Ｇ２の一部分を拡大し、合成画像Ｇ２の装飾画像とは異なる装飾画像とする処理を行なう処理の一例としては、画像処理において、レイアウトの作成において、「フレーム画像」および「編集画像」が合成される前の「処理画像」を拡大し、拡大された「処理画像」に写真プリント用紙と同色の円形開口を有するフレームデータを「処理画像」の上に重ねて合成することで、合成画像Ｇ１（拡大印刷画像ＰＧ２）を生成することができる。同色であることにより、印刷される合成画像Ｇ１が写真プリント用紙から浮きあがったイメージとなる。また、配列印刷領域１００と拡大印刷領域２００のそれぞれに、統一感のある所定の色彩、模様等のデザイン画像を配置する場合は、写真プリント用紙と同色ではなく、そのデザイン画像に応じた色彩、模様のフレームデータとなる。
【００７１】
他の処理の一例としては、円形型情報のアルファチャンネルを付加し、所定の倍率に拡大された「処理画像」の処理時にアルファチャンネルを参照するようにすることで、円形の合成画像Ｇ１（拡大印刷画像ＰＧ２）を生成することができる。
【００７２】
なお、写真プリント用紙に印刷画像を印刷する際に、従来のレイヤー構成(処理手順)としては、下層レイヤーから、「シート下地(背景)」、「合成画像(写真)」、「日付などの文字」の順に重ねられて、さらに、拡大印刷領域２００の輪郭を作り出すために、最上層に、「アルファチャンネル付フレーム」を重ねてしまうと、「日付などの文字」が隠れてしまう。
【００７３】
そこで、本実施の形態では、下層レイヤーから、「シート下地(背景)」、「合成画像(写真)」、「アルファチャンネル付フレーム」と重ね、最上層に「日付などの文字」を重ねるとよい。以下の各実施の形態においても同様である。
【００７４】
また、本実施の形態においては、配列印刷画像ＰＧ１に含まれる複数の合成画像の輪郭と、拡大印刷領域ＰＧ２の輪郭とは異なっているが、拡大印刷領域ＰＧ２に印刷される利用者を撮影した「合成画像」の内側の画像が用いられている。以下の各実施の形態においても同様である。
【００７５】
また、上記写真プリント作成方法によれば、「フレーム画像」、「背景画像」、「編集画像」等の「装飾画像」の周囲が、写真プリント用紙と同色のデザインの場合、丸い形状の輪郭を拡大して印刷した場合に、丸い輪郭に見えなくなる場合が考えられるが、本実施の形態の形態によれば、たとえば、異なる「装飾画像」として、「フレーム画像」、「背景画像」および「編集画像」を合成しないようにすれば、拡大印刷領域ＰＧ２において丸い輪郭を明確にすることができる。
【００７６】
さらに、たとえば、「背景画像」の中に矩形の背景デザインが存在した場合に、拡大して印刷すると、矩形の背景デザインの角部の切り取られ、矩形のデザイン性が損なわれる場合も生じ得るが、「背景画像」を異ならせるか、または、拡大印刷領域ＰＧ２用に異なる「背景画像」を用いることで、デザイン性の向上を図ることができる。
【００７７】
［他の実施の形態］
以下、上記写真プリント１１と同様の写真プリント作成方法により作成された他のレイアウトの写真プリントについて説明する。
【００７８】
（実施の形態２：写真プリント１２）
図８を参照して、実施の形態２における各区画に印刷画像をはめ込んだ、実際の印刷された写真プリント１２の状態を説明する。本実施の形態において、写真プリント用紙１１ａは同じであるが、上記実施の形態１との相違点は、配列印刷領域１００が左側に位置し、拡大印刷領域２００が右側に位置している。さらに、拡大印刷画像ＰＧ２には、区画６に用いられた合成画像Ｇ６（全身画像）の一部分が拡大され異なる装飾画像を有する画像Ｇ１が用いられている。
【００７９】
このように、本実施の形態における写真プリント１２においても、印刷された写真プリントとしては、新鮮さを有し、利用者（需要者）の注意を惹きつけるデザインとなる。
【００８０】
なお、写真プリント１２において、印刷画像が印刷される前においては、図５に示すのと同様に、写真プリント用紙１１ａにおいて、輪郭線により各区画が規定されている。
【００８１】
（実施の形態３：写真プリント１３）
図９を参照して、実施の形態３における各区画に印刷画像をはめ込んだ、実際の印刷された写真プリント１３の状態を説明する。本実施の形態において、写真プリント用紙１１ａは同じであるが、上記実施の形態１との相違点は、拡大印刷領域２００の区画１の輪郭が五角形である点にある。さらに、拡大印刷画像ＰＧ２には、区画４に用いられた合成画像Ｇ４の一部分が拡大され異なる装飾画像を有する画像Ｇ１が用いられている。
【００８２】
このように、本実施の形態における写真プリント１３においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【００８３】
なお、写真プリント１３において、印刷画像が印刷される前においては、図５に示すのと同様に、写真プリント用紙１１ａにおいて、輪郭線により各区画が規定されている。
【００８４】
（実施の形態４：写真プリント１４）
図１０を参照して、実施の形態４における各区画に印刷画像をはめ込んだ、実際の印刷された写真プリント１４の状態を説明する。本実施の形態において、写真プリント用紙１１ａは同じであるが、上記実施の形態３との相違点は、拡大印刷領域２００の区画１の輪郭が六角形である点にある。
【００８５】
このように、本実施の形態における写真プリント１４においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【００８６】
なお、写真プリント１４において、印刷画像が印刷される前においては、図５に示すのと同様に、写真プリント用紙１１ａにおいて、輪郭線により各区画が規定されている。
【００８７】
（実施の形態５：写真プリント１５）
図１１を参照して、実施の形態５における各区画に印刷画像をはめ込んだ、実際の印刷された写真プリント１５の状態を説明する。本実施の形態において、写真プリント用紙１１ａは同じであるが、上記実施の形態３との相違点は、拡大印刷領域２００の区画１の輪郭が八角形である点にある。
【００８８】
このように、本実施の形態における写真プリント１５においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【００８９】
なお、写真プリント１５において、印刷画像が印刷される前においては、図５に示すのと同様に、写真プリント用紙１１ａにおいて、輪郭線により各区画が規定されている。
【００９０】
（実施の形態６：写真プリント１６）
図１２を参照して、実施の形態６における各区画に印刷画像をはめ込んだ、実際の印刷された写真プリント１６の状態を説明する。本実施の形態において、写真プリント用紙１１ａは同じであるが、上記実施の形態３との相違点は、拡大印刷領域２００の区画１の輪郭が九角形である点にある。
【００９１】
このように、本実施の形態における写真プリント１６においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【００９２】
なお、写真プリント１６において、印刷画像が印刷される前においては、図５に示すのと同様に、写真プリント用紙１１ａにおいて、輪郭線により各区画が規定されている。
【００９３】
（実施の形態７：写真プリント１７）
図１３を参照して、実施の形態７における各区画に印刷画像をはめ込んだ、実際の印刷された写真プリント１７の状態を説明する。本実施の形態において、写真プリント用紙１１ａは同じであるが、上記実施の形態３との相違点は、拡大印刷領域２００の区画１の輪郭が十角形である点にある。
【００９４】
このように、本実施の形態における写真プリント１７においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【００９５】
なお、写真プリント１７において、印刷画像が印刷される前においては、図５に示すのと同様に、写真プリント用紙１１ａにおいて、輪郭線により各区画が規定されている。
【００９６】
（実施の形態８：写真プリント１８）
図１４を参照して、実施の形態８における各区画に印刷画像をはめ込んだ、実際の印刷された写真プリント１８の状態を説明する。本実施の形態において、写真プリント用紙１１ａは同じであるが、上記実施の形態３との相違点は、拡大印刷領域２００の区画１の輪郭がハート形である点にある。
【００９７】
このように、本実施の形態における写真プリント１８においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【００９８】
なお、写真プリント１８において、印刷画像が印刷される前においては、図５に示すのと同様に、写真プリント用紙１１ａにおいて、輪郭線により各区画が規定されている。
【００９９】
（実施の形態９：写真プリント１９）
図１５を参照して、実施の形態９における各区画に印刷画像をはめ込んだ、実際の印刷された写真プリント１９の状態を説明する。本実施の形態において、写真プリント用紙１１ａは同じであるが、上記実施の形態３との相違点は、拡大印刷領域２００の区画１の輪郭が楕円形である点にある。
【０１００】
このように、本実施の形態における写真プリント１９においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ２以外の合成画像を用いてもよい。
【０１０１】
なお、写真プリント１９において、印刷画像が印刷される前においては、図５に示すのと同様に、写真プリント用紙１１ａにおいて、輪郭線により各区画が規定されている。
【０１０２】
（実施の形態１０：写真プリント２０）
図１６を参照して、実施の形態１０における各区画に印刷画像をはめ込んだ、実際の印刷された写真プリント２０の状態を説明する。本実施の形態において、上記実施の形態７の写真プリント１７と同様に、拡大印刷領域２００の区画１の輪郭が十角形であるが、上記実施の形態７と相違点として、写真プリント用紙に、左右方向により細長い写真プリント用紙１１ｂが用いられ、配列印刷領域１００および拡大印刷領域２００の大きさが異なっている。さらに、配列印刷領域１００と拡大印刷領域２００との間に、区画１よりも小さい十角形の区画８の印刷領域が形成され、利用者の顔の印刷画像が印刷されている。
【０１０３】
このように、本実施の形態における写真プリント２０においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【０１０４】
なお、写真プリント２０において、印刷画像が印刷される前においては、図５に示すのと同様に、写真プリント用紙１１ｂにおいて、輪郭線により各区画が規定されている。
【０１０５】
（実施の形態１１：写真プリント２１）
図１７を参照して、実施の形態１１における各区画に印刷画像をはめ込んだ、実際の印刷された写真プリント２１の状態を説明する。本実施の形態において、上記実施の形態８の写真プリント１８と同様に、拡大印刷領域２００の区画１の輪郭がハート形であるが、上記実施の形態８と相違点として、写真プリント用紙に、左右方向により細長い写真プリント用紙１１ｂが用いられ、配列印刷領域１００および拡大印刷領域２００の大きさが異なっている。さらに、配列印刷領域１００と拡大印刷領域２００との間に、区画１よりも小さいハート型の区画８および区画９が印刷領域が形成され、２人の利用者のそれぞれの顔の印刷画像が印刷されている。
【０１０６】
このように、本実施の形態における写真プリント２１においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【０１０７】
なお、写真プリント２０において、印刷画像が印刷される前においては、図５に示すのと同様に、写真プリント用紙１１ｂにおいて、輪郭線により各区画が規定されている。
【０１０８】
（実施の形態１２：写真プリント２２）
図１８を参照して、実施の形態１２における各区画に印刷画像をはめ込んだ、実際の印刷された写真プリント２２の状態を説明する。本実施の形態において、上記実施の形態９の写真プリント１９と同様に、拡大印刷領域２００の区画１の輪郭が楕円形であるが、上記実施の形態９と相違点として、写真プリント用紙に、左右方向により細長い写真プリント用紙１１ｂが用いられ、配列印刷領域１００および拡大印刷領域２００の大きさが異なっている。
【０１０９】
このように、本実施の形態における写真プリント２２においても、印刷された写真プリントとしては、新鮮さを有し、利用者（需要者）の注意を惹きつけるデザインとなる。なお、実施の形態２に示すように、配列印刷領域１００と拡大印刷領域２００との左右を入れ替えてもよい。さらに、拡大印刷画像ＰＧ２に、合成画像Ｇ４以外の合成画像を用いてもよい。
【０１１０】
なお、写真プリント２０において、印刷画像が印刷される前においては、図５に示すのと同様に、写真プリント用紙１１ｂにおいて、輪郭線により各区画が規定されている。
【０１１１】
上記実施の形態における写真プリントにおいて、底面図には何も印刷されないため図示は省略している。また、背面図は正面図と同一にあらわれ、右側面図は左側面図と同一にあらわれるため、図示は省略する。実施の形態１から９における写真プリント用紙は、縦方向長さ（短辺）が約７６ｍｍ、横方向長さ（長辺）が約１２３ｍｍ程度である。また、区画２から区画５の縦方向長さと横方向長さの比率（以下、「縦横の比率」と称する）は、１．２５：１であり、区画６および区画７の縦横の比率は、１．４：１である。
【０１１２】
また、実施の形態１０から１２における写真プリント用紙は、縦方向長さ（短辺）が約６１ｍｍ、横方向長さ（長辺）が約１５３ｍｍ程度である。また、区画２から区画５の縦方向長さと横方向長さの比率（以下、「縦横の比率」と称する）は、１．２５：１であり、区画６および区画７の縦横の比率は、１．４：１である。
【０１１３】
また、図１９に示すように、実施の形態１から９における写真プリントは、図６の写真プリント１１で説明した場合には、写真プリント１１の印刷およびシート排出方向は、図１９に示す方向となり、一枚の写真プリント用紙に、２つの写真プリント１１が印刷されて排出される。
【０１１４】
また、図２０に示すように、実施の形態１０から１２における写真プリントは、図１８の写真プリント２２で説明した場合には、写真プリント２２の印刷およびシート排出方向は、図２０に示す方向となり、プリンタ６００に備わるカッターで切り取られ、２枚の写真プリント２２が印刷されて１枚ずつ排出される。
【０１１５】
なお、上記各実施の形態においては、拡大印刷画像を生成するステップは、選択された一の合成画像の装飾画像とは異なる装飾画像とする処理として、区画１に印刷される拡大印刷画像ＰＧ２は、合成画像Ｇ２の一部分を拡大し、「装飾画像」を合成しない処理を行なっているが、この処理に限定されない。
【０１１６】
たとえば、「背景画像」を異ならせる処理や合成しない処理、「フレーム画像」を異ならせる処理や合成しない処理、「編集画像」を異ならせる処理や合成しない処理、「編集画像の一部を合成させない処理」、その他、選択された合成画像をそのまま用いるのでなく、印象を異ならせ、拡大印刷領域に印刷した場合に、違和感を感じさせないように加工する処理が挙げられる。
【０１１７】
具体的には、拡大印刷画像ＰＧ２の拡大された画像に適合するような他のデザインの背景画像を準備し、この背景画像を合成する場合や、利用者の顔などに装飾する編集画像（たとえば、リップやチークなどのメイクツール、メガネやヒゲなどの変装ツール）はそのまま合成し、「背景画像」や「フレーム画像」は合成ない処理を行なってよい。さらに、「編集画像」の中ででも、そのまま合成する画像と、合成しない画像とが存在してもよい。
【０１１８】
以上、本発明の各実施の形態における写真プリント作成方法および写真プリント作成装置について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０１１９】
１  写真プリント作成装置、１１，１２，１３，１４，１５，１６，１７，１８，１９，２０，２１，２２  写真プリント、１１ａ  写真プリント用紙、１００  配列印刷領域、２００  拡大印刷領域、２０１  事前接客装置（シール自動販売機用事前利用者操作機）、２１０  コイン投入口、２２０  操作モニタ、２３０  スピーカ、３００  撮影装置（シール自動販売機用撮影機）、３１０  撮影用カメラ、３２０  操作モニタ、３３０，３４０  照明器具、４００  画像編集装置（写真シール自動販売機用画像編集加工印刷機）、４１０  操作モニタ、４２０  タッチペン、５００  事後接客装置（シール自動販売機用事後利用者操作機）、５１０  操作モニタ、５２０  写真シール受取口、６００  プリンタ、１０００  制御装置、１００１  コンピュータ装置、１００２  制御基板、１００３  ＣＰＵ、１００４  ＨＤＤ、１００５  メモリ、１００６  通信部、１０１７  クロマキーキャプチャボード、１１００  発光制御部。
【図１】
2016001277.tif 000003
【図２】
2016001277.tif 000004
【図３】
2016001277.tif 000005
【図４】
2016001277.tif 000006
【図５】
2016001277.tif 000007
【図６】
2016001277.tif 000008
【図７】
2016001277.tif 000009
【図８】
2016001277.tif 000010
【図９】
2016001277.tif 000011
【図１０】
2016001277.tif 000012
【図１１】
2016001277.tif 000013
【図１２】
2016001277.tif 000014
【図１３】
2016001277.tif 000015
【図１４】
2016001277.tif 000016
【図１５】
2016001277.tif 000017
【図１６】
2016001277.tif 000018
【図１７】
2016001277.tif 000019
【図１８】
2016001277.tif 000020
【図１９】
2016001277.tif 000021
【図２０】
2016001277.tif 000022